(57)【要約】【課題】  電子機器においては、消費電力が大きいことが問題になっていた。  このため、電子機器の電力消費量を低減させることが課題になっていた。【解決手段】  実施形態の電子機器は、設定されたタイムシフト録画時間で使用される複数の記録メディアが、分散して指定可能な指定部を備える。  また、前記分散指定された複数の記録メディアへの電源供給を、使用されない時間はＯＦＦまたはスタンバイに制御する電源制御部を備える。  また、前記分散指定に基づいて、電源が供給される複数の記録メディアに、映像コンテンツを分散記録する記録部と、を備える。【選択図】  図３
2014109831.tif 000002
【特許請求の範囲】
【請求項１】
設定されたタイムシフト録画時間で使用される複数の記録メディアが、分散して指定可能な指定部と、
前記分散指定された複数の記録メディアへの電源供給を、使用されない時間はＯＦＦまたはスタンバイに制御する電源制御部と、
前記分散指定に基づいて、電源が供給される複数の記録メディアに、映像コンテンツを分散記録する記録部と、を備える電子機器。
【請求項２】
前記分散指定された複数の記録メディアに供給される映像信号の周波数帯域を流す転送レートが確保されるかを検出し、前記映像信号の周波数帯域 を流す転送レートが確保されない場合は、トランスコーダの転送レート圧縮率を確保可能な帯域圧縮率に設定する設定部と、を備える請求項１に記載の電子機器。
【請求項３】
前記タイムシフト録画時間を設定可能なタイムシフト設定部と、を備える請求項１または請求項２のいずれかに記載の電子機器。
【請求項４】
前記複数の記録メディアの使用時間を設定可能な使用時間設定部を備える請求項１乃至請求項３のいずれか１に記載の電子機器。
【請求項５】
前記複数の記録メディアはＨＤＤを備える請求項１乃至請求項４のいずれか１に記載の電子機器。
【請求項６】
設定されたタイムシフト録画時間で使用される複数の記録メディアが、分散して指定されるステップと、
前記分散指定された複数の記録メディアへの電源供給を、使用されない時間はＯＦＦまたはスタンバイに制御するステップと、
前記分散指定に基づいて、電源が供給される複数の記録メディアに、映像コンテンツを分散記録するステップと、を備える電子機器の制御方法。
【請求項７】
設定されたタイムシフト録画時間で使用される複数の記録メディアが、分散して指定されるステップと、
前記分散指定された複数の記録メディアへの電源供給を、使用されない時間はＯＦＦまたはスタンバイに制御するステップと、
前記分散指定に基づいて、電源が供給される複数の記録メディアに、映像コンテンツを分散記録するステップと、を備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、複数の放送チャンネルから供給された大量の映像コンテンツを記録メディアに順次記録（録画）し、例えば、２４時間、タイムシフト再生をすることが可能な電子機器が提供されている。
【０００３】
これらの電子機器は、例えば、大容量の記録メディアを備えている。
【０００４】
そして、これらに用いられる大容量の記録メディアは、例えば、複数のＨＤＤ（Ｈａｒｄ  Ｄｉｓｋ  Ｄｒｉｖｅ）を同時に動作させることで、タイムシフト再生等に供される大量の映像コンテンツの録画を可能にしている。また、一般に、ＨＤＤはモータで駆動される。
【０００５】
そして、これらの電子機器においては、例えば、複数のＨＤＤをモータ駆動によって同時に動作させており、消費電力が大きいことが問題になっていた。
【０００６】
このため、電子機器においては、電力消費量を低減させることが課題になっていた。
【先行技術文献】
【特許文献】
【０００７】
【特許文献１】特開２００４−２５２５７０号公報
【発明の概要】
【発明が解決しようとする課題】
【０００８】
電子機器においては、消費電力が大きいことが問題になっていた。
【０００９】
このため、電子機器の電力消費量を低減させることが課題になっていた。
【課題を解決するための手段】
【００１０】
実施形態の電子機器は、設定されたタイムシフト録画時間で使用される複数の記録メディアが、分散して指定可能な指定部を備える。
【００１１】
また、前記分散指定された複数の記録メディアへの電源供給を、使用されない時間はＯＦＦまたはスタンバイに制御する電源制御部を備える。
【００１２】
また、前記分散指定に基づいて、電源が供給される複数の記録メディアに、映像コンテンツを分散記録する記録部と、を備える。
【図面の簡単な説明】
【００１３】
【図１】実施形態に係わる電子機器の外観を示す図。
【図２】実施形態に係わる電子機器の構成の一例を示すブロック図。
【図３】実施形態に係わる電子機器の要部を示すブロック図。
【図４】実施形態に係わる電子機器から出力されるタイムシフト録画時間の設定画面の一例を示す図。
【図５】実施形態に係わる電子機器から出力される内蔵ＨＤＤ使用時間の設定画面の一例を示す図。
【図６】実施形態に係わる電子機器の動作を説明するフローチャート。
【発明を実施するための形態】
【００１４】
以下、図面を参照し、実施の形態を説明する。
【００１５】
図１は、実施形態に係わる電子機器の外観を示す図である。
【００１６】
この実施形態においては、電子機器（テレビ）１は、複数の放送番組を同時に受信し、例えば、内蔵する録画メディア（内部記録装置１７、図２）や外付けの録画メディア（外部記録機器１９）に同時に、順次記録（録画）することが可能である。
【００１７】
そして、電子機器（テレビ）１は、録画された大量の映像コンテンツを、例えば、２４時間、タイムシフト再生をすることが可能である。
【００１８】
ここで、タイムシフト再生とは、録画しながら再生することができる機能である。
【００１９】
また、ユーザは、電子機器（テレビ）１が備える追っかけ再生機能を使うことにより録画中の番組を好きなところから視聴することも可能である。また、視聴中に一時停止したり、巻き戻して一部を繰り返し見たり、することも可能である。
【００２０】
そして、この実施形態においては、電子機器（テレビ）１は、設定されたタイムシフト録画時間で使用される複数の記録メディアが、分散して指定可能な指定部を備えている。
【００２１】
また、前記分散指定された複数の記録メディアへの電源供給を、使用されない時間はＯＦＦまたはスタンバイに制御する電源制御部を備えている。
【００２２】
また、前記分散指定に基づいて、電源が供給される複数の記録メディアに、映像コンテンツを分散記録する記録部と、を備えている。
【００２３】
この実施形態においては、電子機器１は、例えば、ユーザによってリモコン（リモートコントローラ）２１が操作される。このリモコン２１から出力されたリモコン信号が電子機器１の操作受信部２０で受信される。
【００２４】
リモコン信号を受信した電子機器１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００２５】
また、この電子機器１は、例えば、ＵＳＢ端子等で外付けされる外部記憶機器（ＨＤＤ等）１９を備えている。そして、例えば、映像出力装置１で受信された放送を、この外部記憶機器１９に録画することが可能である。
【００２６】
なお、ここでは、電子機器１は映像表示部８を含む構成になっているが、例えば、電子機器１と映像表示部８が別体に構成されても良い。
【００２７】
ここでは電子機器１の一例として録画を行なうことが可能なテレビを用いて説明を行うが、この実施形態においては、電子機器１はテレビに限られることはなく、録画機能を備える録画機器やパーソナルコンピュータ（ＰＣ）、携帯型端末等の電子機器に適用することも可能である。
【００２８】
図２は、実施形態に係わる電子機器の構成を示すブロック図である。
【００２９】
この実施形態においては、制御部１１はＣＰＵ（１２）を備えている。そして、ＣＰＵ（１２）は電子機器１を制御する。また、ＲＡＭ（１３）、ＲＯＭ（１４）、フラッシュメモリ１５は、例えば、制御部１１で行われる処理に利用される。
【００３０】
放送局２５や他の放送局等、複数の放送局からデジタル放送で映像コンテンツが放送される。例えば、放送局２５から放送されたデジタル放送はチューナ３で受信され、選局処理が行われ、デジタル信号の映像コンテンツが信号処理部４に送信される。
【００３１】
また、この実施形態においては、上記のように、複数の放送番組を同時に受信し、同時に録画することが可能である。
【００３２】
信号処理部４で受信されたデジタル信号の映像コンテンツは信号処理が施され、音声処理部６および映像処理部５に送信される。
【００３３】
音声処理部６は、信号処理が施された映像コンテンツを受信し、音声処理を施した信号をスピーカ９に送信する。
【００３４】
スピーカ９は、音声処理が施された信号を受信し、音声を出力する。
【００３５】
また、映像処理部５は、信号処理が施された映像コンテンツを受信し、映像処理を施した信号を表示装置７に送信する。
【００３６】
表示装置７は、映像処理が施された信号を受信し、ＬＣＤパネル等で構成される表示画面（映像表示部）８に映像を表示する。
【００３７】
また、この実施の形態においては、電子機器１は内部記憶装置１７を備えている。この内部記憶装置１７は、図３に示すように、複数（例えば、２つ）の記録メディアを備えている。そして、内部記憶装置１７は、受信した放送をタイムシフト再生に供する用に録画することが可能である。
【００３８】
また、この実施の形態においては、電子機器１は、上記のようにＵＳＢ接続やＬＡＮ接続される外部記憶機器１９を備えている。上記受信された映像コンテンツはこの外部記憶機器１９に記録することも可能である。
【００３９】
また、上記のように、電子機器１に対するユーザの操作は、例えばリモコン（リモートコントローラ）２１等の操作機器によって指示される。
【００４０】
これらの処理は、上記のように、制御部１１に制御される。
【００４１】
また、電子機器１は、送受信部（ネットワークインターフェース）２２、ネットワーク（インターネット）２６を介してサーバ２７に接続され、所定の情報を、このネットワーク（インターネット）２６を介して取得することが可能である。
【００４２】
図３は、実施形態に係わる電子機器の要部を示すブロック図である。
【００４３】
例えば、受信部３では、複数のチューナ２を備えている。そして、制御部１１からの制御信号により、所望の放送チャンネルを選局受信し、受信したデジタルテレビ放送のＴＳ信号（トランスポートストリーム信号）をトランスコーダ部３６に送信する。
【００４４】
ここでは、トランスコーダ部３６は、制御部１１から送信された制御信号により、受信したデジタルテレビ放送のＴＳ信号（ＭＰＥＧ（Ｍｏｖｉｎｇ  Ｐｉｃｔｕｒｅ  Ｅｘｐｅｒｔｓ  Ｇｒｏｕｐ）信号）を任意のレートのＡＶＣ（Ａｄｖａｎｃｅｄ  ＶＩＤＥＯ  Ｃｏｄｉｎｇ）信号に変換し、データ容量を圧縮したり、また、変換せずにそのまま信号をスルーしたりする。
【００４５】
また、ここでは、トランスコーダ部３６からの出力信号を、Ｉ／Ｆ部３３を介して、記録メディア１７に記録したり、また、記録された内容（データ）を読み出したりする。
【００４６】
ここで、読み出されたデータは、デコード部（デコーダ）３５でデコード処理し、映像音声出力部３４に送信される。そして、映像音声出力部３４から表示画面８に送信され、ユーザは、録画番組を視聴することが可能になる。
【００４７】
上記のように、ここでは、内部記憶装置１７は、記録メディア（ＨＤＤ１）１７ａ、記録メディア（ＨＤＤ２）１７ｂのように、複数の記録メディアを備えている。
【００４８】
また、受光部２０は、ユーザに操作されたリモコン２１から出力された制御信号を受信し、制御部１１でこの制御信号を判別し、所定の動作が実行される。
【００４９】
また、この実施形態においては、電源スイッチ部３１は、制御部１１の制御により、例えば、使用していないＨＤＤへの電源供給を停止したり、スタンバイ状態にしたり、と制御することが可能である。
【００５０】
また、タイマ部３７は時間情報（タイマー情報）を保持する。
【００５１】
そして、この実施形態においては、電子機器１は、例えば、６つのチューナ２、２つの記録メディア（記録メディア（ＨＤＤ１）１７ａ、記録メディア（ＨＤＤ２）１７ｂ）を備えている。
【００５２】
一般に、６つのチャンネルで放送された全番組を、タイムシフト録画して使用する場合は、１つの記録メディアに３チャンネルずつ録画保存するように、常時、２つの記録メディア（記録メディア（ＨＤＤ１）１７ａ、記録メディア（ＨＤＤ２）１７ｂ）を動作させている。
【００５３】
しかし、この実施形態においては、電子機器１は、設定されたタイムシフト録画時間の設定情報（後述）を用い、タイムシフト録画に使用される記録メディアを、例えば、ユーザが１つ指定する。
【００５４】
そして、ユーザに指定された記録メディア（記録メディア（ＨＤＤ１）１７ａ、記録メディア（ＨＤＤ２）１７ｂのどちらか１つ）以外の記録メディアの電源ＳＷ（３２ａまたは３２ｂ）をＯＦＦにして電源供給を遮断し、記録メディア（ＨＤＤ１）１７ａ、記録メディア（ＨＤＤ２）１７ｂのどちらか１つの記録メディアに記録するようにする。
【００５５】
図４は、実施形態に係わる電子機器から出力される「タイムシフト録画時間の設定」画面の一例を示す図である。
【００５６】
この「タイムシフト録画時間の設定」画面は、例えば、表示画面８に表示出力される。
【００５７】
ここでは、図４に示すように、例えば、リモコン２１を操作するユーザによって、タイムシフト録画時間は、月曜日から日曜日の２０時台４１、月曜日から日曜日の２１時台４２、月曜日の２３時台４３、水曜日の２３時台４４が設定されていることが表示出力されている。
【００５８】
図５は、実施形態に係わる電子機器から出力される「内蔵ＨＤＤ使用時間の設定」画面の一例を示す図である。
【００５９】
この「内蔵ＨＤＤ使用時間の設定」は、例えば、図４のように、「タイムシフト録画時間が設定」された後に、実行される。
【００６０】
この「内蔵ＨＤＤ使用時間の設定画面」は、例えば、表示画面８に表示出力される。
【００６１】
ここでは、図５に示すように、例えば、リモコン２１を操作するユーザによって、上記のように設定された「タイムシフト録画時間」において、複数の記録メディア（ここでは、記録メディア（ＨＤＤ１）１７ａ、記録メディア（ＨＤＤ２）１７ｂ）の「内蔵ＨＤＤ使用時間」が設定される。
【００６２】
ここでは、記録メディア（ＨＤＤ１）１７ａは、月曜日と火曜日、木曜日、金曜日の２０時台、また、月曜日と木曜日、金曜日の２１時台、また、月曜日の２３時台が、記録メディア（ＨＤＤ１）１７ａの使用時間として設定されている（５１）。
【００６３】
また、記録メディア（ＨＤＤ２）１７ｂは、水曜日と土曜日、日曜日の２０時台、また、火曜日と水曜日、土曜日、日曜日の２１時台、また、水曜日の２３時台が、記録メディア（ＨＤＤ２）１７ｂの使用時間として設定されている（５２）。
【００６４】
図６は、実施形態に係わる電子機器の動作を説明するフローチャートである。
【００６５】
ステップＳ１００は、ここでの開始ステップである。続いて、ステップＳ１０１に進む。
【００６６】
ステップＳ１０１は、図４に示すように、ユーザが電子機器１に、タイムシフト録画時間を設定するステップである。続いて、ステップＳ１０２に進む。
【００６７】
ステップＳ１０２は、図５に示すように、ユーザが、電子機器１に、設定されたタイムシフト録画時間で使用される複数の記録メディア（ＨＤＤ１（１７ａ）、ＨＤＤ２（１７ｂ））を、分散して指定するステップである。続いて、ステップＳ１０３に進む。
【００６８】
ステップＳ１０３は、分散指定された複数の記録メディア（ＨＤＤ１（１７ａ）、ＨＤＤ２（１７ｂ））へ、の電源供給を、使用されない時間は、ＯＦＦまたはスタンバイとなるように制御するステップである。続いて、ステップＳ１０４に進む。
【００６９】
ステップＳ１０４は、例えば、Ｉ／Ｆ部３３に供給される映像信号の帯域は確保されるかを検出するステップである。Ｉ／Ｆ部３３に供給される映像信号の帯域は確保されると検出される場合は、ステップＳ１０６に進む（Ｙｅｓ）。Ｉ／Ｆ部３３に供給される映像信号の帯域は確保されると検出されない場合は、ステップＳ１０５に進む（Ｎｏ）。
【００７０】
ステップＳ１０５は、予め決められた転送レートを確保可能な帯域からトランスコーダ３６の 転送レート 圧縮率を算出し、設定するステップである。続いて、ステップＳ１０６に進む。
【００７１】
ステップＳ１０６は、上記分散指定に基づいて、電源が供給される複数の記録メディア（ＨＤＤ１（１７ａ）、ＨＤＤ２（１７ｂ））に、映像コンテンツを分散記録するステップである。続いて、ステップＳ１０７に進む。
【００７２】
ステップＳ１０７は、終了ステップであり、ここでの処理は終了する。
【００７３】
すなわち、この実施形態においては、設定されたタイムシフト録画時間で使用される複数の記録メディアが、分散して指定可能な指定部を備えている（図５）。
【００７４】
また、前記分散指定された複数の記録メディアへの電源供給を、使用されない時間はＯＦＦまたはスタンバイに制御する電源制御部（制御部１１、電源部３１、スイッチ３１ａ、スイッチ３１ｂ等）を備えている（図３）。
【００７５】
また、前記分散指定に基づいて、電源が供給される複数の記録メディア（記録メディア１７ａ、記録メディア１７ｂ）に、映像コンテンツを分散記録する記録部（制御部１１）と、を備えている。
【００７６】
また、この実施形態においては、前記分散指定された複数の記録メディア（記録メディア１７ａ、記録メディア１７ｂ）に供給される映像信号の周波数帯域 を流す転送レートが確保されるかを検出し、前記映像信号の周波数帯域 を流す転送レートが確保されない場合は、トランスコーダ３６の転送レート 圧縮率を確保可能な帯域 圧縮率に設定する設定部（制御部１１）と、を備えている。
【００７７】
また、前記タイムシフト録画時間を設定可能なタイムシフト設定部と、を備えている（図４）。
【００７８】
また、前記複数の記録メディアの使用時間を設定可能な使用時間設定部を備えている（図５）。
【００７９】
また、前記複数の記録メディアはＨＤＤを備えている（図３）。
【００８０】
上記のように構成することによって、この実施形態においては、電子機器の消費電力を低減させることが可能になる。
【００８１】
また、他の実施形態として、複数の記録メディアの指定は、例えば、タイムシフト録画の設定時間を記録メディア数で分けるようにすることも可能である。
【００８２】
例えば、２４時間全ての番組を録画する場合に、0：00〜12：00と12：00〜24：00というように、１２時間ごとに均等に分けるようにしても良い。または、１日毎等、適宜、切り替えるようにしても良い。
【００８３】
また、上記例では、Ｉ／Ｆ部３３と記録メディア１７間は、６チャンネルの記録と、1チャンネルを再生できる転送レートを確保できる必要があるが、例えば、１つの記録メディア（１７ａまたは１７ｂのいずれか）とＩ／Ｆ３３間の転送レートが低く、録画が不完全の場合に、Ｉ／Ｆ３３の転送レートから、１チャンネルあたりのデータレートを算出し、それを、トランスコーダ部３６に設定して、圧縮率を決めることも可能である。
【００８４】
これにより、使用しない記録メディアが発生し、その記録メディアを休止させることで消費電力を低減させることが可能となる。
【００８５】
このとき、例えば、トランスコード部３６のレート設定に、省エネ設定などの項目を設けておき、トランスコード部３６が省エネ設定に設定されると、記録メディア１台だけを使用するようにすることも可能である。
【００８６】
これにより、例えば、消費電力をあまり問わず、画質にこだわりたいユーザは、任意のレートを設定することが可能である。
【００８７】
すなわち、この実施形態においては、複数のチューナを備え、指定の時間帯全ての放送番組を録画するタイムシフトマシンでは、複数のチャンネルを長時間録画するため、大容量の記録メディア(ＨＤＤ)が必要となり、特に、ＨＤＤが複数個必要となる。
【００８８】
そして、長時間録画においては、複数個のＨＤＤを同時に動作させた場合に、消費電力量が大きくなり、また、ＨＤＤの故障確率も増加する。
【００８９】
このため、この実施形態においては、上記のように、予め、設定されたタイムシフト録画時間登録情報を元に、使用するＨＤＤを決めて、使用しないＨＤＤをスタンバイもしくは電源供給を停止することで、消費電力を低減する。
【００９０】
そして、この実施形態においては、例えば、放送波の複数チャンネルを複数ＨＤＤに分割して連続タイムシフト録画させる。
【００９１】
また、複数のＨＤＤは、例えば、時間軸で（約均等）分散録画させるよう設定しても良い。例えば、（時間帯  朝/昼/夕方/夜/深夜等）。
【００９２】
また、録画中のＨＤＤに電源供給し、未使用のＨＤＤは電源オフになるようにし、アクセスと省エネを両立させ、信頼性（寿命）を均一化することも可能である。
【００９３】
また、例えば、再生時は全ＨＤＤに電源を供給するようにしても良い。
【００９４】
これにより、電子機器の消費電力を下げることが可能になる。また、ＨＤＤの故障確率を低減することも可能になる。
【００９５】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９６】
なお、上記実施形態は、記述そのものに限定されるものではなく、実施段階では、その趣旨を逸脱しない範囲で、構成要素を種々変形して具体化することが可能である。
【００９７】
また、上記実施形態に開示されている複数の構成要素の適宜な組み合せにより種々の発明を形成できる。
【００９８】
例えば、実施形態に示される全構成要素から幾つかの構成要素を削除してもよい。更に、異なる実施形態に亘る構成要素を適宜組み合せてもよい。
【符号の説明】
【００９９】
２…アンテナ、３…受信部、１１…制御部、１７…記録メディア、１７ａ…記録メディア（ＨＤＤ１）、１７ｂ…記録メディア（ＨＤＤ２）、２０…受光部、３１…電源、３２ａ…スイッチ、３２ｂ…スイッチ、３３…Ｉ／Ｆ部、３４…映像音声出力部、３５…デコーダ、３６…トランスコーダ。
【図１】
2014109831.tif 000003
【図２】
2014109831.tif 000004
【図３】
2014109831.tif 000005
【図４】
2014109831.tif 000006
【図５】
2014109831.tif 000007
【図６】
2014109831.tif 000008